(57)【要約】【課題】カード利用者にとって使用時に暗証番号の入力以外の余計な手間を要せず認証が可能で、金融機関側にとってもカード利用者の確認を正確に行い、カードの不正使用を防止するシステムを提供する。【解決手段】サーバ装置１は利用者情報ＤＢ１０，利用者認証手段１１，認証結果伝送手段１２，取引処理手段１３を備え、端末装置３は指紋採取手段を備える。端末装置３では利用者が挿入したカードから利用者情報を読み取り、利用者に暗証番号を入力させ、指紋採取手段で利用者の指紋を採取する。ここで端末装置３のタッチパネル上の所定位置（例えば数字ボタン，確認ボタン）の押下によって指紋を採取する。読み取った利用者情報，暗証番号，指紋情報を情報伝送手段でサーバ装置１に伝送し、利用者情報ＤＢ１０に格納された情報と比較して利用者を認証する。【選択図】図１
2005056157.tif 000002
【特許請求の範囲】
【請求項１】
クレジットカード，キャッシュカード等のカードの利用者を、暗証番号及び指紋により認証し、所定の取引の処理を行うカード認証システムであって、各カードに対応する顧客又は顧客及びその代理人であるカード利用者に対し、利用者情報，暗証番号，指紋情報を登録したデータベースにアクセス可能に接続され、該データベースを参照してカード利用者の認証を行うサーバ装置と、該サーバ装置にネットワークを介して接続された複数の端末装置と、を有し、該端末装置は、前記カードから前記利用者情報を読み取る情報読取手段と、該情報読取手段で読み取ったカードに対し、前記利用者に暗証番号を入力させる暗証番号入力手段と、前記情報読取手段で読み取ったカードに対し、前記利用者の指紋を採取する指紋採取手段と、前記情報読取手段で読み取った利用者情報、前記暗証番号入力手段で入力された暗証番号、及び前記指紋採取手段で採取した指紋の情報である指紋情報を、前記サーバ装置に伝送する情報伝送手段と、を有し、前記サーバ装置は、前記情報伝送手段で伝送された各情報と、前記データベースに格納された各情報とを比較して利用者を認証する利用者認証手段と、該認証の結果を前記端末装置に伝送する認証結果伝送手段と、を有することを特徴とするカード認証システム。
【請求項２】
クレジットカード，キャッシュカード等のカードの利用者を、暗証番号及び指紋により認証し、所定の取引の処理を行うカード認証システムであって、各カードに対応する顧客又は顧客及びその代理人であるカード利用者が、前記所定の取引の処理を行うために利用する端末装置を有し、前記カードには、前記利用者の利用者情報，暗証番号，指紋情報を予め記憶し、該端末装置は、前記カードから前記利用者情報を読み取る情報読取手段と、該情報読取手段で読み取ったカードに対し、前記利用者に暗証番号を入力させる暗証番号入力手段と、前記情報読取手段で読み取ったカードに対し、前記利用者の指紋を採取する指紋採取手段と、前記暗証番号入力手段で入力された暗証番号及び前記指紋採取手段で採取した指紋の情報である指紋情報を、前記カードに記憶された暗証番号及び指紋情報と比較して前記利用者を認証する利用者認証手段と、を有することを特徴とするカード認証システム。
【請求項３】
前記端末装置は、タッチパネルに画像を表示する画像表示手段を有し、前記指紋採取手段は、前記タッチパネル上の所定位置の押下によって指紋を採取する手段であることを特徴とする請求項１又は２に記載のカード認証システム。
【請求項４】
前記タッチパネル上の所定位置は、利用者が入力を確認するための確認用ボタンを表示した位置であることを特徴とする請求項３に記載のカード認証システム。
【請求項５】
前記暗証番号入力手段は、前記タッチパネル上に０〜９の数字を表示する手段と、該表示したタッチパネル上で利用者に暗証番号に対応する複数の数字を押下させることで暗証番号を入力させる手段とを有し、前記指紋採取手段における前記タッチパネル上の前記所定位置は、前記数字を表示した位置であることを特徴とする請求項３に記載のカード認証システム。
【請求項６】
前記指紋採取手段は、前記所定位置の押下により繰り返し得た指紋情報から、前記利用者認証手段で認証するための指紋情報を選択又は生成する手段を有することを特徴とする請求項３乃至５のいずれか１項に記載のカード認証システム。
【請求項７】
前記指紋採取手段は、前記所定位置で読み取った指紋が認証不可能なものであるときは、前記所定位置又は他の位置に表示されたボタンの押下を、利用者に対し要求する表示を前記タッチパネル上で行う手段を有することを特徴とする請求項３乃至６のいずれか１項に記載のカード認証システム。
【請求項８】
クレジットカード，キャッシュカード等のカードの顧客又は顧客及びその代理人であるカード利用者に対する、利用者情報，暗証番号，指紋情報を登録したデータベースにアクセス可能に接続され、該データベースを参照してカード利用者の認証を行うサーバ装置と、該サーバ装置にネットワークを介して接続された複数の端末装置と、を利用して、各カードの利用者を暗証番号及び指紋により認証し、所定の取引の処理を行うカード認証方法であって、前記端末装置において前記カードから利用者情報を読み取る情報読取ステップと、該読み取ったカードに対し、前記端末装置において前記利用者に暗証番号を入力させる暗証番号入力ステップと、前記情報読取ステップで読み取ったカードに対し、前記端末装置において前記利用者の指紋を採取する指紋採取ステップと、前記端末装置において、前記情報読取ステップで読み取った利用者情報、前記暗証番号入力ステップで入力された暗証番号、及び前記指紋採取ステップで採取した指紋の情報である指紋情報を、前記サーバ装置に伝送する情報伝送ステップと、前記サーバ装置において、前記情報伝送ステップで伝送された各情報と、前記データベースに格納された各情報とを比較して利用者を認証する利用者認証ステップと、該認証の結果を前記端末装置に伝送する認証結果伝送ステップと、を含んでなることを特徴とするカード認証方法。
【請求項９】
端末装置を利用して、クレジットカード，キャッシュカード等のカードの利用者を、暗証番号及び指紋により認証し、所定の取引の処理を行うカード認証方法であって、各カードには、顧客又は顧客及びその代理人であるカード利用者の利用者情報，暗証番号，指紋情報を予め記憶し、前記端末装置において前記カードから前記利用者情報を読み取る情報読取ステップと、該情報読取ステップで読み取ったカードに対し、前記端末装置において前記利用者に暗証番号を入力させる暗証番号入力ステップと、前記情報読取ステップで読み取ったカードに対し、前記端末装置において前記利用者の指紋を採取する指紋採取ステップと、前記端末装置において、前記暗証番号入力ステップで入力された暗証番号及び前記指紋採取ステップで採取した指紋の情報である指紋情報を、前記カードに記憶された暗証番号及び指紋情報と比較して前記利用者を認証する利用者認証ステップと、を含んでなることを特徴とするカード認証方法。
【請求項１０】
前記端末装置はタッチパネルに画像を表示する画像表示手段を有し、前記指紋採取ステップは、前記タッチパネル上の所定位置の押下によって指紋を採取するステップであることを特徴とする請求項８又は９に記載のカード認証方法。
【請求項１１】
前記タッチパネル上の所定位置は、利用者が入力を確認するための確認用ボタンを表示した位置であることを特徴とする請求項１０に記載のカード認証方法。
【請求項１２】
前記暗証番号入力ステップは、前記タッチパネル上に０〜９の数字を表示するステップと、該表示したタッチパネル上で利用者に暗証番号に対応する複数の数字を押下させることで暗証番号を入力させるステップとを有し、前記指紋採取ステップにおける前記タッチパネル上の前記所定位置は、前記数字を表示した位置であることを特徴とする請求項１０に記載のカード認証方法。
【請求項１３】
前記指紋採取ステップは、前記所定位置の押下により繰り返し得た指紋情報から、前記利用者認証ステップで認証するための指紋情報を選択又は生成するステップを有することを特徴とする請求項１０乃至１２のいずれか１項に記載のカード認証方法。
【請求項１４】
前記指紋採取ステップは、前記所定位置で読み取った指紋が認証不可能なものであるときは、前記所定位置又は他の位置に表示されたボタンの押下を、利用者に対し要求する表示を前記タッチパネル上で行うステップを有することを特徴とする請求項１０乃至１３のいずれか１項に記載のカード認証方法。
【請求項１５】
請求項１に記載のカード認証システムにおけるサーバ装置。
【請求項１６】
請求項１乃至７のいずれか１項に記載のカード認証システムにおける端末装置。
【請求項１７】
コンピュータを、請求項１に記載のカード認証システムにおけるサーバ装置として、機能させるためのプログラム。
【請求項１８】
コンピュータを、請求項１乃至７のいずれか１項に記載のカード認証システムにおける端末装置として、機能させるためのプログラム。
【請求項１９】
請求項１７又は１８に記載のプログラムを記録したコンピュータ読み取り可能な記録媒体。
【発明の詳細な説明】
【技術分野】
【０００１】
本発明は、カード認証システム、該システムにおけるサーバ装置及び端末装置、方法、プログラム、及び記録媒体に関し、より詳細には、本人や本人が指定した代理人を指紋により認証するカード認証システム、該システムにおけるサーバ装置及び端末装置、方法、プログラム、及び記録媒体に関する。
【背景技術】
【０００２】
現状、銀行や郵便局などのキャッシュカードやクレジット会社などのクレジットカードにより、ＡＴＭ（Ａｕｔｏｍａｔｉｃ  Ｔｅｌｌｅｒ’ｓ  Ｍａｃｈｉｎｅ）等の取引処理端末装置において現金の引き出し等を行う際、本人確認のための方法は４桁の暗証番号の入力だけとなっている。
【０００３】
多くの人は、暗証番号の忘失を防ぐために、暗証番号として自分や知り合いの生年月日や電話番号といった本人に関わる内容を使用している。さらに、複数の金融機関のカードを使用している場合には、各カードに共通した暗証番号を使用していることも多々ある。
【０００４】
また、店頭などで各種クレジットカードで支払いをする際には、名前と電話番号の記入だけとなっている。署名によって本人を認証することも可能であるが、商品を購入する時に決済を行うため、カードが不正使用された場合でも後日それがわかる程度である。
【発明の開示】
【発明が解決しようとする課題】
【０００５】
しかしながら、こういった従来技術のカード認証システムでは、本人確認（及び家族会員等の本人が指定した代理人の確認）が必ずしも正確ではなく、カードを盗難や紛失した際に、名前や電話番号や生年月日など、カード所有者の個人情報が第三者に知られてしまった場合には、この第三者によりカードを不正に使用されてしまう恐れがある。また、カード所有者の個人情報とは全く無関係の暗証番号を使用している場合であっても、解読装置で暗証番号を解読してカードを不正に使用されてしまうことがある。また、クレジットカードの場合も、店側のチェックが甘いため、店頭などで本人に成り済ましてカード支払いを行えてしまう。
【０００６】
本発明は、上述のごとき実情に鑑みてなされたものであり、キャッシュカードやクレジットカード等のカードを本人や本人が指定した代理人が使用する際に、カード利用者にとって使用時に暗証番号の入力以外の余計な手間を要せず認証が可能で、金融機関側にとってもカード利用者の確認を正確に行い、カードの不正使用を防止することが可能な、カード認証システム、該システムにおけるサーバ装置及び端末装置、カード認証方法、カード認証プログラム、及びそのプログラムを記録したコンピュータ読み取り可能な記録媒体を提供することをその目的とする。
【課題を解決するための手段】
【０００７】
上述の課題を解決するために、請求項１の発明は、クレジットカード，キャッシュカード等のカードの利用者を、暗証番号及び指紋により認証し、所定の取引の処理を行うカード認証システムであって、各カードに対応する顧客又は顧客及びその代理人であるカード利用者に対し、利用者情報，暗証番号，指紋情報を登録したデータベースにアクセス可能に接続され、該データベースを参照してカード利用者の認証を行うサーバ装置と、該サーバ装置にネットワークを介して接続された複数の端末装置と、を有し、該端末装置は、前記カードから前記利用者情報を読み取る情報読取手段と、該情報読取手段で読み取ったカードに対し、前記利用者に暗証番号を入力させる暗証番号入力手段と、前記情報読取手段で読み取ったカードに対し、前記利用者の指紋を採取する指紋採取手段と、前記情報読取手段で読み取った利用者情報、前記暗証番号入力手段で入力された暗証番号、及び前記指紋採取手段で採取した指紋の情報である指紋情報を、前記サーバ装置に伝送する情報伝送手段と、を有し、前記サーバ装置は、前記情報伝送手段で伝送された各情報と、前記データベースに格納された各情報とを比較して利用者を認証する利用者認証手段と、該認証の結果を前記端末装置に伝送する認証結果伝送手段と、を有することを特徴としたものである。
【０００８】
請求項２の発明は、クレジットカード，キャッシュカード等のカードの利用者を、暗証番号及び指紋により認証し、所定の取引の処理を行うカード認証システムであって、各カードに対応する顧客又は顧客及びその代理人であるカード利用者が、前記所定の取引の処理を行うために利用する端末装置を有し、前記カードには、前記利用者の利用者情報，暗証番号，指紋情報を予め記憶し、該端末装置は、前記カードから前記利用者情報を読み取る情報読取手段と、該情報読取手段で読み取ったカードに対し、前記利用者に暗証番号を入力させる暗証番号入力手段と、前記情報読取手段で読み取ったカードに対し、前記利用者の指紋を採取する指紋採取手段と、前記暗証番号入力手段で入力された暗証番号及び前記指紋採取手段で採取した指紋の情報である指紋情報を、前記カードに記憶された暗証番号及び指紋情報と比較して前記利用者を認証する利用者認証手段と、を有することを特徴としたものである。
【０００９】
請求項３の発明は、請求項１又は２の発明において、前記端末装置は、タッチパネルに画像を表示する画像表示手段を有し、前記指紋採取手段は、前記タッチパネル上の所定位置の押下によって指紋を採取する手段であることを特徴としたものである。
【００１０】
請求項４の発明は、請求項３の発明において、前記タッチパネル上の所定位置は、利用者が入力を確認するための確認用ボタンを表示した位置であることを特徴としたものである。
【００１１】
請求項５の発明は、請求項３の発明において、前記暗証番号入力手段は、前記タッチパネル上に０〜９の数字を表示する手段と、該表示したタッチパネル上で利用者に暗証番号に対応する複数の数字を押下させることで暗証番号を入力させる手段とを有し、前記指紋採取手段における前記タッチパネル上の前記所定位置は、前記数字を表示した位置であることを特徴としたものである。
【００１２】
請求項６の発明は、請求項３乃至５のいずれか１の発明において、前記指紋採取手段は、前記所定位置の押下により繰り返し得た指紋情報から、前記利用者認証手段で認証するための指紋情報を選択又は生成する手段を有することを特徴としたものである。
【００１３】
請求項７の発明は、請求項３乃至６のいずれか１の発明において、前記指紋採取手段は、前記所定位置で読み取った指紋が認証不可能なものであるときは、前記所定位置又は他の位置に表示されたボタンの押下を、利用者に対し要求する表示を前記タッチパネル上で行う手段を有することを特徴としたものである。
【００１４】
請求項８の発明は、クレジットカード，キャッシュカード等のカードの顧客又は顧客及びその代理人であるカード利用者に対する、利用者情報，暗証番号，指紋情報を登録したデータベースにアクセス可能に接続され、該データベースを参照してカード利用者の認証を行うサーバ装置と、該サーバ装置にネットワークを介して接続された複数の端末装置と、を利用して、各カードの利用者を暗証番号及び指紋により認証し、所定の取引の処理を行うカード認証方法であって、前記端末装置において前記カードから利用者情報を読み取る情報読取ステップと、該読み取ったカードに対し、前記端末装置において前記利用者に暗証番号を入力させる暗証番号入力ステップと、前記情報読取ステップで読み取ったカードに対し、前記端末装置において前記利用者の指紋を採取する指紋採取ステップと、前記端末装置において、前記情報読取ステップで読み取った利用者情報、前記暗証番号入力ステップで入力された暗証番号、及び前記指紋採取ステップで採取した指紋の情報である指紋情報を、前記サーバ装置に伝送する情報伝送ステップと、前記サーバ装置において、前記情報伝送ステップで伝送された各情報と、前記データベースに格納された各情報とを比較して利用者を認証する利用者認証ステップと、該認証の結果を前記端末装置に伝送する認証結果伝送ステップと、を含んでなることを特徴としたものである。
【００１５】
請求項９の発明は、端末装置を利用して、クレジットカード，キャッシュカード等のカードの利用者を、暗証番号及び指紋により認証し、所定の取引の処理を行うカード認証方法であって、各カードには、顧客又は顧客及びその代理人であるカード利用者の利用者情報，暗証番号，指紋情報を予め記憶し、前記端末装置において前記カードから前記利用者情報を読み取る情報読取ステップと、該情報読取ステップで読み取ったカードに対し、前記端末装置において前記利用者に暗証番号を入力させる暗証番号入力ステップと、前記情報読取ステップで読み取ったカードに対し、前記端末装置において前記利用者の指紋を採取する指紋採取ステップと、前記端末装置において、前記暗証番号入力ステップで入力された暗証番号及び前記指紋採取ステップで採取した指紋の情報である指紋情報を、前記カードに記憶された暗証番号及び指紋情報と比較して前記利用者を認証する利用者認証ステップと、を含んでなることを特徴としたものである。
【００１６】
請求項１０の発明は、請求項８又は９の発明において、前記端末装置はタッチパネルに画像を表示する画像表示手段を有し、前記指紋採取ステップは、前記タッチパネル上の所定位置の押下によって指紋を採取するステップであることを特徴としたものである。
【００１７】
請求項１１の発明は、請求項１０の発明において、前記タッチパネル上の所定位置は、利用者が入力を確認するための確認用ボタンを表示した位置であることを特徴としたものである。
【００１８】
請求項１２の発明は、請求項１０の発明において、前記暗証番号入力ステップは、前記タッチパネル上に０〜９の数字を表示するステップと、該表示したタッチパネル上で利用者に暗証番号に対応する複数の数字を押下させることで暗証番号を入力させるステップとを有し、前記指紋採取ステップにおける前記タッチパネル上の前記所定位置は、前記数字を表示した位置であることを特徴としたものである。
【００１９】
請求項１３の発明は、請求項１０乃至１２のいずれか１の発明において、前記指紋採取ステップは、前記所定位置の押下により繰り返し得た指紋情報から、前記利用者認証ステップで認証するための指紋情報を選択又は生成するステップを有することを特徴としたものである。
【００２０】
請求項１４の発明は、請求項１０乃至１３のいずれか１の発明において、前記指紋採取ステップは、前記所定位置で読み取った指紋が認証不可能なものであるときは、前記所定位置又は他の位置に表示されたボタンの押下を、利用者に対し要求する表示を前記タッチパネル上で行うステップを有することを特徴としたものである。
【００２１】
請求項１５の発明は、請求項１の発明のカード認証システムにおけるサーバ装置である。
【００２２】
請求項１６の発明は、請求項１乃至７のいずれか１の発明のカード認証システムにおける端末装置である。
【００２３】
請求項１７の発明は、コンピュータを、請求項１の発明のカード認証システムにおけるサーバ装置として、機能させるためのプログラムである。
【００２４】
請求項１８の発明は、コンピュータを、請求項１乃至７のいずれか１の発明のカード認証システムにおける端末装置として、機能させるためのプログラムである。
【００２５】
請求項１９の発明は、請求項１７又は１８の発明のプログラムを記録したコンピュータ読み取り可能な記録媒体である。
【発明の効果】
【００２６】
本発明によれば、キャッシュカードやクレジットカード等のカードを本人や本人が指定した代理人が使用する際に、カード利用者にとって使用時に暗証番号の入力以外の余計な手間を要せず認証が可能で、金融機関側にとってもカード利用者の確認を正確に行い、カードの不正使用を防止することが可能となる。
【発明を実施するための最良の形態】
【００２７】
図１は、本発明の一実施形態に係るカード認証システムの一構成例を示す図で、図２は、図１のカード認証システムにおける端末装置の一例を示す図で、図２（Ａ）は端末装置の概要を、図２（Ｂ）は端末装置の画面の様子を、それぞれ示す図である。図中、１はサーバ装置、２はネットワーク、３ａ，３ｂ，．．．，３ｑ，．．．は端末装置、１０は利用者情報データベース（ＤＢ）、１１は利用者認証手段、１２は認証結果伝送手段、１３は取引処理手段、３１は通帳挿入口、３２はカード挿入口、３３は画面、３４は紙幣・硬貨出入口、３５は数字ボタン、３６は確認ボタンである。
【００２８】
本発明の一実施形態に係るカード認証システム（以下、本システムという）は、クレジットカード，キャッシュカード等のカードの利用者を、暗証番号及び指紋により認証し、所定の取引の処理を行うシステムである。ここで、カードとは磁気カードやＩＣカードなど情報を記憶可能なカードを指し、カード利用者とは各カードの利用者として予め金融機関に対して登録した顧客又は顧客及びその代理人を指す。
【００２９】
また、本システムは、カード利用者の認証処理及び取引処理を実行するサーバ装置１と、サーバ装置１に有線，無線に拘らない通信回線を使用したネットワーク２を介して接続された複数の端末装置３ａ，３ｂ，．．．，３ｑ，．．．（しばしば３で表す）と、を有するものとする。サーバ装置１は利用者情報ＤＢ１０にアクセス可能に接続されているものとする。なお、端末装置３は、金融機関内や他の金融機関内、さらにはデパートや公共施設等の設置場所に設置され、カード利用者にカードを利用させるＡＴＭや、店舗等でクレジットカード，デビットカード等で商品の買物の際に使用するカードリーダ等の装置であり、サーバ装置１に対するクライアント装置といえる。なお、本明細書中、本発明に係る端末装置３をＡＴＭ端末装置を想定して例示しているが、上述の店舗で用いるカードリーダにおいても暗証番号の入力及び指紋の採取を実行するようにすればよい。
【００３０】
カード利用者は、本システムを運営する金融機関、或いは本システムの運営者からアプリケーションサービスの提供をＡＳＰシステムにより受ける金融機関に対し、利用者の登録を行う。この登録処理では、利用者の氏名（ＩＤでもよい），住所等の利用者情報に加え、暗証番号及び指紋情報を登録した利用者情報ＤＢ１０に登録する。指紋情報の登録にはスキャナ等の指紋読取装置などを用いればよい。サーバ装置１はその利用者情報ＤＢ１０を参照して認証処理及び取引処理（金銭の引き出しや預け入れや送金など）を行う。
【００３１】
端末装置３は、情報読取手段，暗証番号入力手段，指紋採取手段，情報伝送手段を有するものとする。情報読取手段では、利用者が挿入したカードから利用者情報を読み取る。暗証番号入力手段では、そのカードに対し、利用者に暗証番号の入力を要求する画面を画像表示手段に提示するなどして利用者に暗証番号を入力させる。指紋採取手段では、同じカードに対し利用者の指紋を採取する。利用者に指紋の押下を要求し、押下された指紋を読み取るようにすればよい。情報伝送手段では、これらの手段で読み取った利用者情報，暗証番号，指紋の情報（指紋情報）を、サーバ装置１に伝送する。
【００３２】
ここで、端末装置３は、図２で例示するように、タッチパネルに画像を表示する画像表示手段を有するようにすることが好ましい。図２では画面３３がタッチパネルになっているものとする。さらに、このタッチパネルは、その画面の一部又は全部が上述の指紋採取手段として機能するよう構成されている。すなわち、上述の指紋採取手段は、タッチパネル上の所定位置の押下によって指紋を採取する手段であるようにすることが好ましい。なお、この場合でも、暗証番号やその他の処理を行うために入力が必要なものは、タッチパネル以外のボタンで行えるようにしておいてもよい。
【００３３】
サーバ装置１は、利用者認証手段１１，認証結果伝送手段１２を備えるものとし、図１の例では、その他、一般的に組み込まれるべき取引処理手段１３を備えた例を示す。利用者認証手段１１では、端末装置３の情報伝送手段で伝送された各情報と、利用者情報ＤＢ１０に格納された各情報とを比較して利用者を認証する。認証結果伝送手段１２では、認証の結果をその端末装置３に伝送する。取引処理手段１３では、端末装置３とのやり取りによって金銭の引き出し，預け入れ，振り込み等の処理を行う手段であり、利用者の預金情報や借入可能金額の情報などを格納したデータベース（図１では併せて利用者情報ＤＢ１０に格納しているものとして図示）にアクセスして、それらの処理を行う。
【００３４】
図３は、図１のカード認証システムにおけるカード認証処理の一例を説明するためのフロー図で、本発明の一実施形態に係るカード認証方法の一例を説明するためのフロー図でもある。
【００３５】
本システムにおけるカード認証処理は、まず、利用者が、カードを端末装置３のカード挿入口３２に差し込む（ステップＳ１）。端末装置３では、そのカードから利用者情報を取得し（ステップＳ２）、暗証番号を利用者に要求する画面を表示する（ステップＳ３）。その要求に対し、利用者は暗証番号を入力する（ステップＳ４）。端末装置３では、暗証番号を取得し（ステップＳ５）、指紋を利用者に要求する画面を表示する（ステップＳ６）。その要求に対し、利用者は指（登録した指）で指紋採取部を押下する（ステップＳ７）。ここで、上述したようにタッチパネル上の所定位置の押下によって指紋を採取することが好ましい。端末装置３では、指紋情報を取得し（ステップＳ８）、取得した各情報をサーバ装置１に伝送する（ステップＳ９）。なお、暗証番号及び指紋情報の取得の前後は問わず、さらにこれらの情報の取得は、サーバ装置１における取引処理手段１３での処理を行う前に実行すればよい。また、暗証番号をカード内に記憶しておいて暗証番号での認証は端末装置３側で行ってもよいことは言及するまでもない。
【００３６】
サーバ装置１では、伝送された各情報を受信し（ステップＳ１０）、受信した各情報と利用者情報ＤＢ１０内の各情報とを比較して認証し（ステップＳ１１）、認証結果を端末装置３に伝送する（ステップＳ１２）。端末装置３では、その認証結果を受信し、認証成功であれば取引を実行するための画面を表示し、認証失敗であればその旨を示す画面に表示する（ステップＳ１３）。利用者は、認証成功の場合、実行する取引をボタンの押下等により指定する（ステップＳ１４）。端末装置３では、指定された取引をサーバ装置１との間のやりとりで実行する（ステップＳ１５）。このとき、場合によっては利用者に情報入力を促す画面を提示し入力させる場合もある。最終的に、例えば、現金の引き出しの場合には、利用者は、紙幣・硬貨出入口３４から現金を受け取ることになる。
【００３７】
ここで、上述した端末装置３，サーバ装置１，利用者情報ＤＢ１０等に関し、補足的に説明する。ＤＢ１０等のデータベースは、サーバ装置１に物理的に含まれている形態でも、サーバ装置１に各ＤＢがネットワークを介して接続され、物理的に離散している形態を採用してもよい。またＤＢ１０等のデータベースは、その構成上別々のものでも一体型のものでもよく、要はデータベースとしての機能がはたせる形態であればよい。ＤＢ１０等のデータベースを管理するサーバ装置１は、ＤＢの維持・運用を行う専用のソフトウェア（ＤＢ管理システム）を備えるようにすることが好ましい。これにより、ＤＢ内のデータを本発明に係る各機能を実現するプログラム（アプリケーションソフト）から物理的，論理的に独立させ、各種アプリケーションのバージョンアップやシステム構築が容易になる上に、データの整合性（一貫性）を保て、データのセキュリティの確保が行い易くなる。
【００３８】
さらに、上述した端末装置３或いはサーバ装置１など、ＰＣ（パーソナルコンピュータ）等の汎用コンピュータや専用のコンピュータが内蔵されたもの、或いはサーバコンピュータにおける各種情報の処理について、図４に示す一般的な情報処理装置の構成例を参照して説明する。図４は、一般的な情報処理装置の構成例を示すブロック図で、図中、４１はＣＰＵ、４２はＲＡＭ、４３はＲＯＭ、４４は入力装置、４５は表示装置、４６は出力装置、４７はバスである。
【００３９】
本システムにおけるサーバ装置１又は端末装置３で取り扱われる情報は、その処理時に一時的にＲＡＭ４２に蓄積され、その後、各種ＲＯＭ４３に格納され、必要に応じて、ＣＰＵ４１によって読み出し、修正・書き込みが行われる。また、コンピュータを本システムにおけるサーバ装置１又は端末装置３として機能させるためのプログラムは、ＲＯＭ４３に蓄積されており、ＣＰＵ４１が読み出すことによって実行される。また、処理の途中経過や途中結果は、ＣＲＴ，ＬＣＤ等の表示装置４５を通してユーザに提示され、必要な場合には、タッチパネルや通常のキーボード，マウス（ポインティングデバイス）等の入力装置４４からユーザが処理に必要なデータを入力指定すればよい。このプログラムは、ユーザ（本システムの管理者，運営者やカード利用者）が使用する際に容易となるように、表示装置４５用のグラフィカルユーザインターフェース（ＧＵＩ）を備えるようにするとよい。出力装置４６は、通信装置や印刷装置などからなり、通信装置は上述のネットワーク２に接続して通信を行うための機器で、印刷装置は、端末装置３側では画面表示したデータや処理結果（入出金のデータ等）などを通帳や利用者控えに印刷する装置で、サーバ装置１側では管理者や運営者が印字したいデータを印刷する装置である。なお、ＣＰＵ４１，ＲＡＭ４２，ＲＯＭ４３，入力装置４４，表示装置４５，出力装置４６は、バス４７などで接続されていればよい。
【００４０】
以上、図１乃至図４を参照して説明した各実施形態によれば、キャッシュカードやクレジットカード等のカードを本人や本人が指定した代理人が使用する際に、カード利用者にとって使用時に暗証番号の入力以外の余計な手間を要せず認証が可能で、金融機関側にとってもカード利用者の確認を正確に行い、カードの不正使用を防止することが可能となる。
【００４１】
図５は、本発明の他の実施形態に係るカード認証システムにおけるカード認証処理の一例を説明するためのフロー図で、本発明の他の実施形態に係るカード認証方法の一例を説明するためのフロー図でもある。
【００４２】
本発明の他の実施形態に係るカード認証システム（以下、本システムという）１は、図１乃至図４で説明した実施形態のシステムにおいて、タッチパネル上の、利用者が入力を確認するための確認用ボタンを表示した位置で指紋採取を行うシステムであり、上述したシステムと同様の箇所や応用形態の説明は省略する。但し、端末装置３は、タッチパネルに画像を表示する画像表示手段を有し、さらに指紋採取手段は、タッチパネル上の所定位置の押下によって指紋を採取する手段であるものとする。
【００４３】
本システムにおける端末装置３では、タッチパネル上の所定位置が、利用者が入力を確認するための確認用ボタン（例えば図２の確認ボタン３６）を表示した位置であるものとする。
【００４４】
また、他の形態として、指紋採取手段は、所定位置の押下により繰り返し得た指紋情報から、利用者認証手段１１で認証するための指紋情報を選択する手段を有するようにしてもよい。若しくは、確認ボタン３６が取引において何度も押下されるものであることを利用して、指紋採取手段は、複数取得した指紋情報から重ね合わせ及び余分な部分の削除を行うなどして、利用者認証手段１１で認証するための指紋情報を生成する手段を有するようにしてもよい。
【００４５】
さらなる他の形態として指紋採取手段は、所定位置で読み取った指紋が認証不可能なものであるときは、所定位置又は他の位置に表示されたボタンの押下を、利用者に対し要求する表示をタッチパネル上で行う手段を有するようにしてもよい。
【００４６】
本システムにおけるカード認証処理では、まず、図３のステップＳ１〜Ｓ３と同様に、利用者がカードを端末装置３のカード挿入口に差し込むことで（ステップＳ２１）、端末装置３は、カードから利用者情報を取得し（ステップＳ２２）、暗証番号を利用者に要求する画面を表示する（ステップＳ２３）。利用者が暗証番号を入力することで（ステップＳ２４）、端末装置３は暗証番号を取得し（ステップＳ２５）、取得した各情報をサーバ装置１に伝送する（ステップＳ２６）。サーバ装置１では、伝送された各情報（利用者情報，暗証番号）を受信し（ステップＳ２７）、受信した各情報と利用者情報ＤＢ１０内の各情報とを比較して認証し（ステップＳ２８）、認証結果を端末装置３に伝送する（ステップＳ２９）。
【００４７】
端末装置３では、認証結果を受信し、認証成功であれば取引を実行するための画面を表示し、認証失敗であればその旨を示す画面に表示する（ステップＳ３０）。なお、暗証番号をカード内に記憶しておいて暗証番号での認証は端末装置３側で行ってもよいことは言及するまでもない。利用者が取引を指定することで（ステップＳ３１）、端末装置３は、取引の種類を確認する確認ボタン３６（指紋採取可）の押下を利用者に要求する画面をタッチパネル上に表示する（ステップＳ３２）。利用者はこの要求に従い、指で確認ボタン（指紋採取部）を押下する（ステップＳ３３）。これにより端末装置３は指紋情報を取得する（ステップＳ３４）。なお、上述したように確認ボタン３６で指紋採取を行うタイミングは、サーバ装置１における取引処理手段１３での処理（特に金銭のやり取り）を行う前であればよく、さらに指紋情報も複数得たうちから認証しやすいものを選択したり生成したりしてもよい。
【００４８】
次に、端末装置３では取得した各情報をサーバ装置１に伝送する（ステップＳ３５）。ここで利用者情報（及び暗証番号）はサーバ装置１に送信済みであり、ステップＳ３５で送信するのは指紋情報だけでもよい。サーバ装置１では、伝送された各情報を受信し（ステップＳ３６）、受信した各情報と利用者情報ＤＢ１０内の各情報とを比較して認証する（ステップＳ３７）。ここで認証するのは、利用者の指紋情報となる。サーバ装置１では、ここでの認証結果を端末装置３に伝送する（ステップＳ３８）。認証結果を受信した端末装置３は、認証成功であれば取引を実行するための画面を表示し、認証失敗であればその旨を示す画面に表示し（ステップＳ３９）、指定された取引をサーバ装置１との間のやりとりで実行する（ステップＳ４０）。このとき、場合によっては利用者に情報入力を促す画面を提示し入力させる場合もある。
【００４９】
以上、図５を参照して説明した各実施形態によれば、キャッシュカードやクレジットカード等のカードを本人や本人が指定した代理人が使用する際に、カード利用者にとって使用時に暗証番号の入力以外の余計な手間を要せず確実な認証が可能で、金融機関側にとってもカード利用者の確認をより正確に行い、カードの不正使用を防止することが可能となる。
【００５０】
図６は、本発明の他の実施形態に係るカード認証システムにおけるカード認証処理の一例を説明するためのフロー図で、本発明の他の実施形態に係るカード認証方法の一例を説明するためのフロー図でもある。
【００５１】
本発明の他の実施形態に係るカード認証システム（以下、本システムという）は、図１乃至図４で説明した実施形態のシステムにおいて、タッチパネル上の、利用者が暗証番号を入力するための数字ボタンを表示した位置で、暗証番号の入力と同時に指紋採取を行うシステムであり、上述したシステムと同様の箇所や応用形態の説明は省略する。但し、端末装置３は、タッチパネルに画像を表示する画像表示手段を有し、さらに指紋採取手段は、タッチパネル上の所定位置の押下によって指紋を採取する手段であるものとする。
【００５２】
本システムにおける端末装置３では、暗証番号入力手段は、タッチパネル上に０〜９の数字を表示する手段と、表示したタッチパネル上で利用者に暗証番号に対応する複数の数字を押下させることで暗証番号を入力させる手段とを有するものとする。さらに、指紋採取手段におけるタッチパネル上の所定位置が、それらの数字を表示した位置であるようにしている。なお、本システムにおいても図５を参照して説明したシステムと同様に、指紋採取手段では、所定位置（ここでは複数箇所の所定位置）の押下により繰り返し得た指紋情報から、利用者認証手段１１で認証するための指紋情報を選択或いは生成するようにしてもよい。
【００５３】
本システムにおけるカード認証処理では、まず、図３のステップＳ１，Ｓ２と同様に、利用者がカードを端末装置３のカード挿入口に差し込むことで（ステップＳ５１）、端末装置３はカードから利用者情報を取得する（ステップＳ５２）。端末装置３は、暗証番号（指紋採取可の数字ボタン３５）の押下を利用者に要求する画面を表示する（ステップＳ５３）。この要求に対し、利用者が指で数字ボタン３５（指紋採取部）を押下して暗証番号を入力することで（ステップＳ５４）、端末装置３は暗証番号及び指紋情報を取得し（ステップＳ５５）、取得した各情報をサーバ装置１に伝送する（ステップＳ５６）。サーバ装置１では、伝送された各情報を受信し（ステップＳ５７）。受信した各情報と利用者情報ＤＢ１０内の各情報とを比較して認証し（ステップＳ５８）、認証結果を端末装置３に伝送する（ステップＳ５９）。
【００５４】
端末装置３では、その認証結果を受信し、認証成功であれば取引を実行するための画面を表示し、認証失敗であればその旨を示す画面に表示する（ステップＳ６０）。また、暗証番号をカード内に記憶しておいて暗証番号での認証は端末装置３側で行ってもよいことは言及するまでもない。ステップＳ６０における画面において、利用者は取引を指定する（ステップＳ６１）。端末装置３は、指定された取引をサーバ装置１との間のやりとりで実行する（ステップＳ６２）。このとき、場合によっては利用者に情報入力を促す画面を提示し入力させる場合もある。
【００５５】
以上、図６を参照して説明した各実施形態によれば、図５を参照して説明した各実施形態と同様に、キャッシュカードやクレジットカード等のカードを本人や本人が指定した代理人が使用する際に、カード利用者にとって使用時に暗証番号の入力以外の余計な手間を要せず確実な認証が可能で、金融機関側にとってもカード利用者の確認をより正確に行い、カードの不正使用を防止することが可能となる。
【００５６】
図７は、本発明の他の実施形態に係るカード認証システムの一構成例を示す図である。また、図８は、図７のカード認証システムにおけるカード認証処理の一例を説明するためのフロー図で、本発明の他の実施形態に係るカード認証方法の一例を説明するためのフロー図でもある。
【００５７】
本発明の他の実施形態に係るカード認証システム（以下、本システムという）１は、図１乃至図４，図５，図６で説明した各実施形態のシステムにおいて、カードに指紋情報を予め登録しておき、指紋による利用者の認証を端末装置３側で行うシステムであり、上述したシステムと同様の箇所や応用形態の説明は省略する。なお、暗証番号による利用者の認証は端末装置３側（カード内に暗証番号を記録），サーバ装置１側（利用者情報ＤＢ１０に暗証番号を記録）でもよいが、ここでは前者の例のみ説明する。また、ここでは図６で説明した実施形態のシステムにおいて指紋による利用者の認証を端末装置３側で行うシステムのみを例示するが、図１乃至図４又は図５で説明したシステムにも同様に適用可能である。
【００５８】
本システムは、クレジットカード，キャッシュカード等のカードの利用者を、暗証番号及び指紋により認証し、所定の取引の処理を行うカード認証システムであって、端末装置３を備えるものとする。なお、この端末装置３は、ネットワーク２を介して接続されたサーバ装置１における、利用者の預金情報等が格納された利用者情報ＤＢ１０及び取引処理手段１３によって、所定の取引処理を実行させるための端末装置である。本システムにおいては、カードには、利用者の利用者情報，暗証番号，指紋情報を予め記憶しておく必要がある。端末装置３は、図１乃至６で説明した各実施形態に係る端末装置３と同様に、情報読取手段，暗証番号入力手段，指紋採取手段を有し、さらに、利用者認証手段（図１の利用者認証手段１１に代わるもの）を有するものとする。この利用者認証手段では、暗証番号入力手段で入力された暗証番号及び指紋採取手段で採取した指紋の情報である指紋情報を、カードに記憶された暗証番号及び指紋情報と比較して利用者を認証する。また、端末装置３には、利用者認証手段で認証に成功した場合、少なくとも情報読取手段で読み取った顧客情報をサーバ装置１に伝送する情報伝送手段を備え、サーバ装置１との間で各種取引処理を可能とする。
【００５９】
本システムにおけるカード認証処理では、まず、図６のステップＳ５１〜Ｓ５３と同様に、利用者がカードを端末装置３のカード挿入口に差し込むことで（ステップＳ７１）、端末装置３はカードから利用者情報を取得し（ステップＳ７２）、暗証番号（指紋採取可の数字ボタン３５）の押下を利用者に要求する画面を表示する（ステップＳ７３）。さらに図６のステップＳ５４，Ｓ５５と同様に、この要求に対し、利用者が指で数字ボタン３５（指紋採取部）を押下して暗証番号を入力することで（ステップＳ７４）、端末装置３は暗証番号及び指紋情報を取得する（ステップＳ７５）。そして、端末装置３では、ステップＳ７５で取得した各情報とカード内の各情報とを比較して認証し（ステップＳ７６）、認証成功であれば取引を実行するための画面を表示し、認証失敗であればその旨を示す画面に表示する（ステップＳ７７）。ステップＳ７７における画面において、利用者は取引を指定する（ステップＳ７８）。端末装置３は、指定された取引をサーバ装置１との間のやりとりで実行する（ステップＳ７９）。このとき、場合によっては利用者に情報入力を促す画面を提示し入力させる場合もある。
【００６０】
以上、図７及び図８を参照して説明した各実施形態によれば、図５を参照して説明した各実施形態と同様に、キャッシュカードやクレジットカード等のカードを本人や本人が指定した代理人が使用する際に、カード利用者にとって使用時に暗証番号の入力以外の余計な手間を要せず確実な認証が可能で、金融機関側にとってもカード利用者の確認をより正確に行い、カードの不正使用を防止することが可能となる。
【００６１】
以上、図１乃至図８を参照しながら、本発明のシステム（該システム内のサーバ装置，端末装置）及び方法を中心に各実施形態を説明してきたが、本発明は、上述した各実施形態におけるサーバ装置１，端末装置３に係る説明で説明したように、コンピュータをそれらサーバ装置或いは端末装置として機能させるためのプログラム、或いはコンピュータにそれらサーバ装置或いは端末装置の処理手順やそれら方法を実行させるためのプログラムとしても、或いは、そのプログラムを記録したコンピュータ読み取り可能な記録媒体としての形態も可能である。
【００６２】
本発明によるカード認証の機能を実現するためのプログラムやデータを記憶した記録媒体の実施形態を説明する。記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定でき、上述した本発明の各実施形態のシステムの機能をコンピュータに実行させ、カード認証の機能を実現するためのプログラムを、これら記録媒体に記録して流通させることにより、当機能の実現を容易にする。そして、図４（及び図２）で例示したようなコンピュータ等の情報処理装置に、上述のごとくの記録媒体を装着して情報処理装置によりプログラムを読み出すか、若しくは情報処理装置が備えている記録媒体に当プログラムを記憶させておき、必要に応じて読み出すことにより、本発明に係わるカード認証の機能を実行することができる。
【図面の簡単な説明】
【００６３】
【図１】本発明の一実施形態に係るカード認証システムの一構成例を示す図である。
【図２】図１のカード認証システムにおける端末装置の一例を示す図である。
【図３】図１のカード認証システムにおけるカード認証処理の一例を説明するためのフロー図で、本発明の一実施形態に係るカード認証方法の一例を説明するためのフロー図でもある。
【図４】一般的な情報処理装置の構成例を示すブロック図である。
【図５】本発明の他の実施形態に係るカード認証システムにおけるカード認証処理の一例を説明するためのフロー図で、本発明の他の実施形態に係るカード認証方法の一例を説明するためのフロー図でもある。
【図６】本発明の他の実施形態に係るカード認証システムにおけるカード認証処理の一例を説明するためのフロー図で、本発明の他の実施形態に係るカード認証方法の一例を説明するためのフロー図でもある。
【図７】本発明の他の実施形態に係るカード認証システムの一構成例を示す図である。
【図８】図７のカード認証システムにおけるカード認証処理の一例を説明するためのフロー図で、本発明の他の実施形態に係るカード認証方法の一例を説明するためのフロー図でもある。
【符号の説明】
【００６４】
１…サーバ装置、２…ネットワーク、３，３ａ，３ｂ，３ｑ…端末装置、１０…利用者情報ＤＢ、１１…利用者認証手段、１２…認証結果伝送手段、１３…取引処理手段、３１…通帳挿入口、３２…カード挿入口、３３…画面、３４…紙幣・硬貨出入口、３５…数字ボタン、３６…確認ボタン、４１…ＣＰＵ、４２…ＲＡＭ、４３…ＲＯＭ、４４…入力装置、４５…表示装置、４６…出力装置、４７…バス。
【図１】
2005056157.tif 000003
【図２】
2005056157.tif 000004
【図３】
2005056157.tif 000005
【図４】
2005056157.tif 000006
【図５】
2005056157.tif 000007
【図６】
2005056157.tif 000008
【図７】
2005056157.tif 000009
【図８】
2005056157.tif 000010